(57)【要約】      （修正有）【課題】着火直後から燃え切りまでの全期間にわたり温熱効果を継続的に維持することができ、もぐさの有効成分を肌に優しく浸透させる灸具を提供する。【解決手段】もぐさ部１００を支持部１上に備える灸具であって、前記もぐさ部が、もぐさ１２０を紙類１１０により柱状に包んでなり、前記支持部が、上下方向の貫通孔７を有すると共に、もぐさ部１００側面支持部ともぐさ部底面支持部６とを少なくとも有するセラミック成形部材を配する。さらに、二以上の前記もぐさ部側面支持部が、前記もぐさ部水平断面方向を基準として、前記もぐさ部に対して対称的に配置する。又前記もぐさ部が前記もぐさ部側面支持部および前記もぐさ部底面支持部により、前記支持部上に固定し、前記もぐさ部側面支持部間に前記もぐさ部底面に至る開口部を設けて灸具を構成する。【選択図】図３
0003154846.tif 000002
【実用新案登録請求の範囲】
【請求項１】
もぐさ部を支持部上に備える灸具であって、
前記もぐさ部が、もぐさを紙類により柱状に包んでなり、
前記支持部が、上下方向の貫通孔を有すると共に、もぐさ部側面支持部ともぐさ部底面支持部とを少なくとも有するセラミック成形部材を有し、
二以上の前記もぐさ部側面支持部が、前記もぐさ部水平断面方向を基準として、前記もぐさ部に対して対称的に配置され、
前記もぐさ部が前記もぐさ部側面支持部および前記もぐさ部底面支持部により、前記支持部上に固定され、
前記もぐさ部側面支持部間に前記もぐさ部底面に至る開口部が設けられていることを特徴とする、灸具。
【請求項２】
前記支持部に感熱変色部材を配置した、請求項１に記載の灸具。
【請求項３】
上記に加え前記支持部の底面に粘着材を備えた、請求項１または２に記載の灸具。
【請求項４】
前記支持部が、セラミック製の円柱構造を有し、前記支持部上面に中心から外周に向かって浅くなる三角錘状の切れ込み溝が対称的に複数設けられ、
前記切れ込み溝に、複数の直方体のもぐさ部底面支持部が中心に向かってせり出す様に設けられている、請求項１〜３のいずれかに記載の灸具。
【請求項５】
前記支持部が、セラミック製の円柱構造を有し、
前記支持部上面の外周に沿って、三角柱状の一辺が前記支持部の中心方向となるように、複数の三角柱状のもぐさ部側面支持部が設けられ、
前記支持部上面に、複数の直方体のもぐさ部底面支持部が中心に向かって設けられている、請求項１〜３のいずれかに記載の灸具。
【請求項６】
把持部と灸具保持部とを備え、
前記灸具保持部が、前記灸具の支持部を保持できる内面を有し、
前記把持部および前記灸具保持部の内面ならびに前記把持部および前記灸具保持部の外面がそれぞれ連続した面を形成し、
前記把持部を押圧することにより前記灸具保持部の内面が小さくなり、前記灸具保持部の内面に前記灸具を保持することができる、請求項１〜５のいずれかに記載の灸具用保持具。  
【考案の詳細な説明】
【技術分野】
【０００１】
本考案は、もぐさ部を支持部上に備える灸具に関する。
【背景技術】
【０００２】
従来から灸は広く使用されている。この灸には直接肌にもぐさを置いて着火する直接灸と、もぐさが肌に直接接しないようにもぐさと肌との間に一定の距離を設けて着火する間接灸とがある。
直接灸の場合には肌に炎症を引き起こす可能性があることから専門家でなければ取扱が難しい面がある。
これに対し間接灸の場合には肌に直接火が到達することがないことから家庭でも広く実施される傾向がある。
【０００３】
この様な間接灸として、もぐさ部を支持部上に備える灸具において、前記支持部に遠赤外線を放射するセラミックを設けた灸具が提案されている。
この灸具によれば、遠赤外線を皮膚内部に深達させることができることから温熱的刺激を十分に与えることができるとされる（特許文献１）。
この様な灸具の具体例として、前記支持部に紙と遠赤外線を放射するセラミック層とが上下に重ね合わされるようにして積層された灸具が知られている。
しかしながら、この灸具では前記紙と遠赤外線を放射するセラミック層との積層体がもぐさの円滑な燃焼を阻害し、必ずしも十分な温熱効果を上げられない場合があった。
【０００４】
この一方、もぐさの円滑な燃焼を助け、着火直後から燃え切りまでの全期間にわたり温熱効果を持続させることができる灸具として、上下方向に貫通孔を有する台座に、上下方向に貫通孔を有するもぐさを設置した灸具が提案されている。
この灸具によればもぐさが円滑に燃焼するため、温熱効果を持続させることができるとされる。
【０００５】
しかしながらもぐさに上下方向に貫通孔を設けただけでは、台座底部に人の肌があるため外部から空気を取り入れることができず、もぐさの円滑な燃焼を促すことは不可能であり、もぐさの燃焼部分が台座に達した段階でもぐさの燃焼は終了するため遠赤外線の効果も発揮することができない。
また台座部分に小さな孔を設けてもやはり円滑なもぐさの燃焼を促すには十分ではない。  
【先行技術文献】
【特許文献】
【０００６】
【特許文献１】特開平９−１０２９０号公報
【特許文献１】特開２００５−２３７４４３号公報
【考案の概要】
【考案が解決しようとする課題】
【０００７】
本考案の目的は、着火直後から燃え切りまでの全期間にわたり温熱効果を継続的に維持することができ、もぐさの有効成分を肌に優しく浸透させる灸具を提供することにある。
【課題を解決するための手段】
【０００８】
上記課題を解決するため本考案者が鋭意検討した結果、もぐさ部を支持部上に備える灸具の中でも、もぐさ部下面に通じる開口部を対称的に設けたセラミック支持部を備えた灸具が本考案の目的に適うことを見出し、本考案を完成するに至った。
【０００９】
すなわち本考案は、
［１］もぐさ部を支持部上に備える灸具であって、
前記もぐさ部が、もぐさを紙類により柱状に包んでなり、
前記支持部が、上下方向の貫通孔を有すると共に、もぐさ部側面支持部ともぐさ部底面支持部とを少なくとも有するセラミック成形部材を有し、
二以上の前記もぐさ部側面支持部が、前記もぐさ部水平断面方向を基準として、前記もぐさ部に対して対称的に配置され、
前記もぐさ部が前記もぐさ部側面支持部および前記もぐさ部底面支持部により、前記支持部上に固定され、
前記もぐさ部側面支持部間に前記もぐさ部底面に至る開口部が設けられていることを特徴とする、灸具を提供するものである。
【００１０】
また本考案は、
［２］前記支持部に感熱変色部材を配置した、上記［１］に記載の灸具を提供するものである。
【００１１】
また本考案は、
［３］上記に加え前記支持部の底面に粘着材を備えた、上記［１］または［２］に記載の灸具を提供するものである。
【００１２】
また本考案は、
［４］前記支持部が、セラミック製の円柱構造を有し、前記支持部上面に中心から外周に向かって浅くなる三角錘状の切れ込み溝が対称的に複数設けられ、
前記切れ込み溝に、複数の直方体のもぐさ部底面支持部が中心に向かってせり出す様に設けられている、上記[１]〜[３]のいずれかに記載の灸具を提供するものである。
【００１３】
また本考案は、
[５]前記支持部が、セラミック製の円柱構造を有し、前記支持部上面の外周に沿って、三角柱状の一辺が前記支持部の中心方向となるように、複数の三角柱状のもぐさ部側面支持部が設けられ、
前記支持部上面に、複数の直方体のもぐさ部底面支持部が中心に向かって設けられている、上記[１]〜[３]のいずれかに記載の灸具を提供するものである。
【００１４】
また本考案は、
[６]把持部と灸具保持部とを備え、
前記灸具保持部が、前記灸具の支持部を保持できる内面を有し、
前記把持部および前記灸具保持部の内面ならびに前記把持部および前記灸具保持部の外面がそれぞれ連続した面を形成し、
前記把持部を押圧することにより前記灸具保持部の内面が小さくなり、前記灸具保持部の内面に前記灸具を保持することができる、上記[１]〜[５]のいずれかに記載の灸具用保持具を提供するものである。
【考案の効果】
【００１５】
本考案の灸具は、もぐさ部側面支持部間に前記もぐさ部底面に至る開口部が設けられていることからもぐさの円滑な燃焼を促すことができ、着火直後から燃え切りまでの全期間にわたり温熱効果を継続的に維持することができると共に、もぐさの有効成分を肌に優しく浸透させることができる。
また本考案の灸具は、セラミック支持部を備えるため、セラミックの発する遠赤外線効果によりさらに温熱効果を有効に維持することができる。
【図面の簡単な説明】
【００１６】
【図１】図１は、本考案の実施例１の灸具を例示した模式斜視図である。
【図２】図２は、本考案の実施例１に使用する支持部本体を上から見下ろした状態を例示した模式平面図である。
【図３】図３は本考案の実施例１の灸具を例示した模式断面図である。
【図４】図４は、本考案の実施例２の灸具を例示した模式斜視図である。
【図５】図５は、本考案の実施例２使用する支持部本体を上から見下ろした状態を例示した模式平面図である。
【図６】図６は本考案の実施例２の灸具を例示した模式断面図である。
【図７】図７は本考案の灸具を着脱するための灸具保持具を例示した模式斜視図である。
【考案を実施するための形態】
【００１７】
以下に図面を参照しつつ、本考案の灸具について詳細に説明する。なお下記の実施例により本考案は何ら限定されるものではない。
【実施例１】
【００１８】
図１は、本考案の実施例１の灸具を例示した模式斜視図である。
本考案の灸具は、もぐさ１２０を紙類１１０で巻いた円柱状のもぐさ部１００と、前記もぐさ部１００を支える支持部１を備えるものである。
【００１９】
前記支持部１の本体２はセラミック製の円柱構造となっていて、支持部上面３に中心から外周に向かって浅くなる三角錘状の切れ込み溝４が対称的に４つ設けられている。
この切れ込み溝４により、前記支持部本体２の上面３から、前記もぐさ部１００の底面に円滑に空気を送り込むことが可能になり、前記もぐさ部１００の燃焼を円滑なものとすることができる。
【００２０】
また前記支持部本体２の底面には中心に孔を備える、粘着性を付与したスポンジ等の弾性体５が貼付されていて、前記灸具を自由に被施術者の肌に固定することができる。
図２は、本考案の実施例１に使用する支持部本体２を上から見下ろした状態を例示した模式平面図である。
【００２１】
図２に例示されるように、支持部本体上面３に中心から外周に向かって浅くなる三角錘状の切れ込み溝４が対称的に、上から見て左右上下方向に４つ設けられている。
【００２２】
また前記支持部本体２には貫通孔７が設けられている。また前記切れ込み溝４には直方体のもぐさ部底面支持部６が中心に向かってせり出す様に設けられている。
【００２３】
このもぐさ部底面支持部６がもぐさ部を支えると共に、切れ込み溝４のうち中心に向かって狭くなっている部分である４つのもぐさ部側面支持部８がもぐさ部を対称的に支えるため、前記支持部１は安定してもぐさ部を支えることができる。
なお、前記支持部１にもぐさ部を固定する際には接着剤等を使用することができる。
【００２４】
図３は本考案の実施例１の灸具を例示した模式断面図である。
図３に例示される様に、前記支持部１の貫通孔７により、もぐさ部の薬効成分が支持部１内部に行き渡る。これにより肌に対して薬効成分を浸透させることができる構造となっている。
【００２５】
また前記切れ込み溝４から前記もぐさ部１００の底面に円滑に空気を送り込まれることから前記もぐさ部１００の燃焼が円滑に継続する。
そしてセラミック製の前記支持部１による遠赤外線により、より効果的に温熱効果を与えることができる。
【００２６】
本考案の灸具を使用する場合には、前記灸具を被施術者の肌の適切な位置に固定し、前記もぐさ部１００の先端に着火すればよい。
前記もぐさ部１００が燃え尽きた後にもしばらくの間はセラミック製の前記支持部１の本体２は温熱を維持し、遠赤外線効果を放射維持する。
また前記もぐさ部１００の底面は被施術者の肌に直接接しないため、火傷等の炎症を防ぐことができることから本考案の灸具を手軽に使用することができる。
【実施例２】
【００２７】
図４は、本考案の実施例２の灸具を例示した模式斜視図である。
実施例２の灸具に使用するもぐさ部１００は実施例１で説明したものと同様である。
【００２８】
灸具の支持部１０の本体１２はセラミック製の円柱構造となっていて、支持部上面２１の外周に沿って、三角柱状の一辺が前記本体１２の中心方向となるように、三つの三角柱状のもぐさ部側面支持部２０が設けられている。
【００２９】
また前記もぐさ部側面支持部２０間に前記もぐさ部１００の底面に至る開口部２２が三カ所対称的に設けられている。
この開口部２２により、前記支持部本体１２の上面２１から、前記もぐさ部１００の底面に円滑に空気を送り込むことが可能になり、前記もぐさ部１００の燃焼を円滑なものとすることができる。
【００３０】
また前記もぐさ部側面支持部２０の上面には温度によって色が変わる感熱変色シートが貼付されていて（図示せず）、前記灸具の使用温度を視覚的に確認することができる。
加えて前記支持部本体２の底面には粘着性を付与したスポンジ等の弾性体５が貼付されていて、前記灸具を自由に被施術者の肌に固定することができる。
【００３１】
図５は、本考案の実施例２使用する支持部本体１２を上から見下ろした状態を例示した模式平面図である。
【００３２】
図５に例示されるように、支持部上面２１の外周に沿って、三角柱状の一辺１８が前記本体１２の中心方向となるように、三つの三角柱状のもぐさ部側面支持部２０が設けられている。
【００３３】
また前記支持部上面２１には直方体のもぐさ部底面支持部１６が中心に向かって設けられている。
このもぐさ部底面支持部１６がもぐさ部を支えると共に、三つの三角柱状のもぐさ部側面支持部のそれぞれの一辺１８がもぐさ部を対称的に支えるため、前記支持部１０は安定してもぐさ部を支えることができる。
【００３４】
なお、前記支持部１０にもぐさ部を固定する際には接着剤等を使用することができる。
図６は本考案の実施例２の灸具を例示した模式断面図である。
図６に例示される様に、前記支持部１０の貫通孔１７により、もぐさ部の薬効成分が支持部１０内部に行き渡る。これにより肌に対して薬効成分を浸透させることができる構造となっている。
【００３５】
また図４に例示した開口部２２から前記もぐさ部１００の底面に円滑に空気が送り込まれることから前記もぐさ部１００の燃焼が円滑に継続する。
そしてセラミック製の前記支持部１０による遠赤外線により、より効果的に温熱効果を与えることができる。
【００３６】
本考案の灸具を使用する場合には、前記灸具を被施術者の肌の適切な位置に固定し、前記もぐさ部１００の先端に着火すればよい。
前記もぐさ部１００が燃え尽きた後にもしばらくの間はセラミック製の前記支持部１０の本体１２は温熱を維持し、遠赤外線効果を放射維持する。
また前記もぐさ部１００の底面は被施術者の肌に直接接しないため、火傷等の炎症を防ぐことができることから本考案の灸具を手軽に使用することができる。
【００３７】
また前記もぐさ部側面支持部２０の上面には温度によって色が変わる感熱変色シートが貼付されているため、被施術者は視覚を通じて灸具の燃焼状態を確認することができ、より効率的に灸具を使用することができる。
【００３８】
図７は、本考案の灸具を着脱するための灸具保持具を例示した模式斜視図である。
灸具保持具２００は、把持部３０と環状の灸具保持部３１とを備えている。
前記灸具保持部３１は、前記灸具の支持部を保持できる内面を有していて、この内面に前記灸具を保持して移動させることが可能である。
【００３９】
前記把持部３０は折り返し部分３２により接続され、さらに前記把持部３０および前記灸具保持部３１の内面ならびに前記把持部３０および前記灸具保持部３１の外面はそれぞれ連続した面を形成していて、張力により環状の灸具保持部３１の内面が広がるようにされている。
前記把持部３０を押圧することにより前記灸具保持部３１の内面が小さくなり、前記灸具保持部３１の内面に前記灸具を保持することができる。
前記灸具を前期灸具保持具２００から外すときは、前記把持部３０に対する押圧を止める。これにより前記灸具保持具２００が自身が持つ張力により、前記灸具保持部３１の内面を大きくすることができる。
【００４０】
前記灸具保持具２００は合成樹脂や金属等の材料により成形して得ることができる。
また前記保持部３０には半球状の突起３３が設けられていて、滑ることなく確実に前記保持部３０を持つことが可能である。
この灸具保持具２００を使用することにより熱を持った灸具を安全に扱うことができる。  
【符号の説明】
【００４１】
１、１０    支持部
２、１２    本体
３、２１    支持部上面
４    切れ込み溝
５    弾性体
６、１６    もぐさ部底面支持部
７、１７    貫通孔
１８    三角柱状の一辺
８、２０    もぐさ部側面支持部
２１    支持部上面
２２    開口部
３０    把持部
３１    灸具保持部
３２    折り返し部分
１００    もぐさ部
１１０    紙類
１２０    もぐさ
２００    灸具保持具
【図１】
0003154846.tif 000003
【図２】
0003154846.tif 000004
【図３】
0003154846.tif 000005
【図４】
0003154846.tif 000006
【図５】
0003154846.tif 000007
【図６】
0003154846.tif 000008
【図７】
0003154846.tif 000009
【手続補正書】
【提出日】平成21年8月19日(2009.8.19)
【手続補正１】
【補正対象書類名】実用新案登録請求の範囲
【補正対象項目名】請求項３
【補正方法】変更
【補正の内容】
【請求項３】
前記支持部の底面に粘着材を備えた、請求項１または２に記載の灸具。
【手続補正２】
【補正対象書類名】実用新案登録請求の範囲
【補正対象項目名】請求項６
【補正方法】変更
【補正の内容】
【請求項６】
把持部と灸具保持部とを備え、
前記灸具保持部が、前記灸具の支持部を保持できる内面を有し、
前記把持部および前記灸具保持部の内面ならびに前記把持部および前記灸具保持部の外面がそれぞれ連続した面を形成し、
前記把持部を押圧することにより前記灸具保持部の内面が小さくなり、前記灸具保持部の内面に請求項１〜５のいずれかに記載の灸具を保持することができる、灸具用保持具。